(57)【要約】  【解決手段】  ヘッド本体、少なくとも一個の重り、少なくとも一個の位置決め部材および少なくとも一個の保持部材により構成される。ヘッド本体には収容室が設けられる。重りは保持部材により初歩的に位置決め部材に結合される。位置決め部材、重りおよび保持部材による合体をさらにヘッド本体の収容室の内部に結合することにより、隠蔽式と取り外し自在の重りが形成されるように構成されている。  【効果】  位置決め部材を利用して重りを隠蔽式または取り外し自在な方式でヘッド本体に結合させることにより、取り換えの自由度と利便性を確実に増やすと共に、結合の美観性を高めることができる。【選択図】    図１
2006081862.tif 000002
【特許請求の範囲】
【請求項１】
ヘッド本体（１）、少なくとも一個の重り（２）、少なくとも一個の位置決め部材（３）および少なくとも一個の保持部材（４）により構成されるゴルフクラブヘッドと重りの結合構造であって、ヘッド本体（１）には少なくとも一個の収容室（１４）が設けられ、位置決め部材（３）は重り（２）と嵌合し結合することができ、保持部材（４）は重り（２）を位置決め部材（３）に固定するのに用いられることにより、重り（２）をヘッド本体（１）の収容室（１４）の内部に隠して結合することができることを特徴とするゴルフクラブヘッドと重りの結合構造。
【請求項２】
ヘッド本体（１）はアイアン型ヘッドからなり、ヘッド本体（１）にはキャビティ（１２）が設けられ、収容室（１４）はヘッド本体（１）のキャビティ（１２）の下方のソール板において凹むように設けられることを特徴とする請求項１記載のゴルフクラブヘッドと重りの結合構造。
【請求項３】
ヘッド本体（１）はウッド型ヘッドからなり、ヘッド本体（１）には内部空間（１０）が設けられ、収容室（１４）はヘッド本体（１）の内部空間（１０）の底部のソール板において凹むように設けられることを特徴とする請求項１記載のゴルフクラブヘッドと重りの結合構造。
【請求項４】
重り（２）には同じ軸心で軸孔（２１）と収容孔（２２）が設けられ、収容孔（２２）は軸孔（２１）より大きくなるように形成され、収容孔（２２）は保持部材（４）を収容するのに用いられることを特徴とする請求項１記載のゴルフクラブヘッドと重りの結合構造。
【請求項５】
位置決め部材（３）はヘッド本体（１）と同じ材質により製成されることを特徴とする請求項１記載のゴルフクラブヘッドと重りの結合構造。
【請求項６】
位置決め部材（３）には蓋体（３１）が設けられ、蓋体（３１）はヘッド本体（１）の収容室（１４）の開口部を封止するのに用いられることを特徴とする請求項１記載のゴルフクラブヘッドと重りの結合構造。
【請求項７】
位置決め部材（３）には少なくとも一個の解除部（３５）が設けられ、解除部（３５）は蓋体（３１）に形成され、解除部（３５）は位置決め部材（３）を回動するのに用いられることにより、位置決め部材（３）を組み立てたり取り外したりすることができることを特徴とする請求項６記載のゴルフクラブヘッドと重りの結合構造。
【請求項８】
位置決め部材（３）には桿体（３２）が設けられ、桿体（３２）には第一ねじ部（３３）と第二ねじ部（３４）が形成されることを特徴とする請求項１記載のゴルフクラブヘッドと重りの結合構造。
【請求項９】
保持部材（４）にはねじ孔（４１）が設けられ、ねじ孔（４１）は位置決め部材（３）の第一ねじ部（３３）に対応するように結合されることを特徴とする請求項８記載のゴルフクラブヘッドと重りの結合構造。
【請求項１０】
ヘッド本体（１）の収容室（１４）にはねじ孔（１４１）が設けられ、ねじ孔（１４１）は位置決め部材（３）の第二ねじ部（３４）に対応するように結合されることを特徴とする請求項８記載のゴルフクラブヘッドと重りの結合構造。
【請求項１１】
第一ねじ部（３３）と第二ねじ部（３４）には反対方向に設置された雄ねじが形成されることを特徴とする請求項８記載のゴルフクラブヘッドと重りの結合構造。
【請求項１２】
第一ねじ部（３３）の外径は第二ねじ部（３４）より大きくなるように形成されることを特徴とする請求項８記載のゴルフクラブのウッドヘッド構造。
【請求項１３】
重り（２”）は外周面において他に少なくとも一個の弾性体（２０”）が突出するように設けられ、弾性体（２０”）は収容室（１４）の内周面に弾性的に係止されることにより、打球時において異音が生じるのを避けることができることを特徴とする請求項１記載のゴルフクラブヘッドと重りの結合構造。
【請求項１４】
他に少なくとも一個の弾性パッキング（５）が含まれ、弾性パッキング（５）はヘッド本体（１）の収容室（１４）の内周壁と保持部材（４）の間に当接されることにより、保持部材（４）が脱落するのを防止することを特徴とする請求項１記載のゴルフクラブヘッドと重りの結合構造。
【発明の詳細な説明】
【技術分野】
【０００１】
本発明は、ゴルフクラブヘッドと重りの結合構造に関するもので、特に位置決め部材により重りをヘッド本体に隠して結合するゴルフクラブヘッド構造に係るものである。
【背景技術】
【０００２】
従来のゴルフクラブヘッドと重りの結合構造としては、ヘッド本体と重りが含まれ、ヘッド本体には底部において開口部が形成され、開口部には階段状部が設けられる。重りの形状は開口部に対応するように形成され、さらに重りが開口部に対応した階段状部には環状フランジが設けられる。組立時において、重りの環状フランジは開口部の階段状部に係止するように形成され、さらに環状フランジと階段状部との間の隙間には粘着剤が充填されることにより、ヘッド本体と重りとの結合構造を強化することができるようにとしたものがある（例えば、特許文献１を参照）。
【特許文献１】アメリカ特許番号第６，５２４，１９８号
【発明の開示】
【発明が解決しようとする課題】
【０００３】
上記のような従来のゴルフクラブヘッドと重りの結合構造においては、重りをヘッド本体の底部に確実かつ強固に結合することができるが、重りとヘッド本体は通常として異なる材質により製成されるため、結合時においては他にコストが高い硬ろう付けを採用しなければならず、そのためにヘッド本体において熔接道が残留されるため、ヘッド本体の底部の外観に影響を及ぼしてしまうという問題点があった。また、例えば重りが硬ろう付けまたは粘着剤を利用して永久的な結合が形成されたにもかかわらず、使用者の需要性に応じて異なった重りを適当に取り換えることができないため、ヘッドの重心を適時に調整することができないという問題点があった。このように、上記のような従来のゴルフクラブヘッドと重りの結合構造をさらに改良しなければならない。
【０００４】
本発明はこのような問題点に鑑みて発明したものであって、その目的とするところは、位置決め部材を利用して重りを隠蔽式または取り外し自在な方式でヘッド本体に結合させることにより、取り換えの自由度と利便性を確実に増やすと共に、結合の美観性を高めることができるゴルフクラブヘッドと重りの結合構造を提供しようとするものである。
【０００５】
本発明の第一の目的は、位置決め部材を利用して重りを隠蔽式または取り外し自在な方式でヘッド本体の収容室の内部に結合させることにより、取り換えの自由度を増やすと共に、結合の美観性を高めることができるゴルフクラブヘッドと重りの結合構造を提供しようとするものである。
【０００６】
本発明の第二の目的は、位置決め部材を利用してヘッド本体の収容室の内部に結合させ、重りは他に保持部材により位置決め部材に強固に結合されることにより、取り換えの利便性を増やすことができるゴルフクラブヘッドと重りの結合構造を提供しようとするものである。
【課題を解決するための手段】
【０００７】
上記目的を達成するために、本発明によるゴルフクラブヘッドと重りの結合構造は、下記のようになるものである。すなわち、
ヘッド本体、少なくとも一個の重り、少なくとも一個の位置決め部材および少なくとも一個の保持部材により構成される。ヘッド本体には少なくとも一個の収容室が設けられる。位置決め部材は重りと嵌合し結合することができる。保持部材は重りを位置決め部材に固定するのに用いられることにより、重りをヘッド本体の収容室の内部に隠して結合することができる。
【０００８】
本発明によるゴルフクラブヘッドと重りの結合構造は、ヘッド本体はアイアン型ヘッドからなり、ヘッド本体にはキャビティが設けられ、収容室はヘッド本体のキャビティの下方のソール板において凹むように設けられることもできる。また、ヘッド本体はウッド型ヘッドからなり、ヘッド本体には内部空間が設けられ、収容室はヘッド本体の内部空間の底部のソール板において凹むように設けられることもできる。また、重りには同じ軸心で軸孔と収容孔が設けられ、収容孔は軸孔より大きくなるように形成され、収容孔は保持部材を収容するのに用いられることもできる。また、位置決め部材はヘッド本体と同じ材質により製成されることもできる。また、位置決め部材には蓋体が設けられ、蓋体はヘッド本体の収容室の開口部を封止するのに用いられることもできる。また、位置決め部材には少なくとも一個の解除部が設けられ、解除部は蓋体に形成され、解除部は位置決め部材を回動するのに用いられることにより、位置決め部材を組み立てたり取り外したりすることもできる。また、位置決め部材には桿体が設けられ、桿体には第一ねじ部と第二ねじ部が形成されることもできる。また、保持部材にはねじ孔が設けられ、ねじ孔は位置決め部材の第一ねじ部に対応するように結合されることもできる。また、ヘッド本体の収容室にはねじ孔が設けられ、ねじ孔は位置決め部材の第二ねじ部に対応するように結合されることもできる。また、第一ねじ部と第二ねじ部には反対方向に設置された雄ねじが形成されることもできる。また、第一ねじ部の外径は第二ねじ部より大きくなるように形成されることもできる。また、重りは外周面において他に少なくとも一個の弾性体が突出するように設けられ、弾性体は収容室の内周面に弾性的に係止されることにより、打球時において異音が生じるのを避けることもできる。また、他に少なくとも一個の弾性パッキングが含まれ、弾性パッキングはヘッド本体の収容室の内周壁と保持部材の間に当接されることにより、保持部材が脱落するのを防止することもできる。
【発明の効果】
【０００９】
本発明のゴルフクラブヘッドと重りの結合構造によれば、位置決め部材を利用して重りを隠蔽式または取り外し自在な方式でヘッド本体の収容室の内部に結合させることにより、取り換えの自由度を増やすと共に、結合の美観性を高めることができるという利点がある。
【００１０】
本発明のゴルフクラブヘッドと重りの結合構造によれば、位置決め部材を利用してヘッド本体の収容室の内部に結合させ、重りは他に保持部材により位置決め部材に強固に結合されることにより、取り換えの利便性を増やすことができるという利点がある。
【発明を実施するための最良の形態】
【００１１】
本発明の実施の形態について、以下、図面を参照して説明する。
【実施例１】
【００１２】
図１、２を参照すると、本発明の実施例１のゴルフクラブヘッドと重りの結合構造にはヘッド本体１、少なくとも一個の重り２、少なくとも一個の位置決め部材３および少なくとも一個の保持部材４が含まれる。ヘッド本体１はアイアン型ヘッドからなると共に、比較的軽い金属または合金材質により製成され、例えばステンレス、合金鋼または低炭素鋼などにより製成される。ヘッド本体１にはフェース板１１、キャビティ１２、ホーゼル１３と少なくとも一個の収容室１４が設けられる。フェース板１１はヘッド本体１の正面に設けられると共に、ゴルフボールを打球するのに用いられる。キャビティ１２はフェース板１１が後方へ弾性変形するクッション空間を提供することができる。ホーゼル１３はフェース板１１の一方に位置され、ゴルフクラブのシャフト（図示せず）と結合するのに用いられることができる。収容室１４はヘッド本体１のキャビティ１２の下方のソール板において凹むように設けられ、収容室１４は円柱形の孔からなる。収容室１４の内部には他にねじ孔１４１と肩部１４２が形成されることにより、重り２、位置決め部材３と保持部材４を収容し結合することができる。
【００１３】
再び図１、２を参照すると、本発明の実施例１の重り２は比較的重い金属または合金材質により製成され、例えばタングステン−フェロ−ニッケル合金などにより製成される。重り２は円柱体からなり、その外径は収容室１４の内径と略同じになるように形成される。また、重り２には同じ軸心で軸孔２１と収容孔２２が設けられ、収容孔２２の内径は軸孔２１より大きくなるように形成され、収容孔２２は保持部材４を収容するのに用いられることができる。位置決め部材３はヘッド本体１と同じ材質により製成され、位置決め部材３には蓋体３１、桿体３２、第一ねじ部３３、第二ねじ部３４と少なくとも一個の解除部３５が設けられる。第一ねじ部３３の外径は第二ねじ部３４より大きくなるように形成され、さらに第一ねじ部３３と第二ねじ部３４には反対方向に設置された雄ねじが形成される。保持部材４はナットからなり、保持部材４にはねじ孔４１が設けられる。
【００１４】
図２、３を参照すると、初歩的に組立を行う時、先ず重り２を位置決め部材３に嵌設する。この時、重り２は蓋体３１の内側に当接するように形成され、そして桿体３２は重り２の軸孔２１の内部を貫穿するように形成され、さらに第二ねじ部３４は重り２の収容孔２２の外部まで突出するように形成される。それから、保持部材４を位置決め部材３に嵌入させ、保持部材４のねじ孔４１によって第一ねじ部３３に螺合し、保持部材４が略重り２の収容孔２２の内部で収容されるようになるまで螺合し続ける。上述した方式によって同じ規格を有した位置決め部材３と保持部材４は同じ規格で重量の異なった各種の重り２を初歩的に結合することができる。
【００１５】
再び図３を参照すると、さらに進んで組立を行う時、先ず位置決め部材３、重り２と保持部材４による合体をヘッド本体１の収容室１４の内部に嵌入させる。それから、適当な工具を利用して解除部３５に挿入し、位置決め部材３を回動させることにより、位置決め部材３の第二ねじ部３４を収容室１４のねじ孔１４１にねじ込ませる。また、重り２と保持部材４の一方は収容室１４の肩部１４２に緊密に当接するように形成され、さらに、重り２の外周面は収容室１４の内周面に緊密に当接するように形成される。
【００１６】
再び図３を参照すると、組立を行った後、位置決め部材３の蓋体３１は収容室１４の開口部を封止するように形成されることにより、隠蔽式と取り外し自在な結合構造が形成されるため、重量の異なった重り２を取り換えることができる。位置決め部材３はヘッド本体１に直接螺設されることにより、ヘッド本体１の外観の美観性に影響を及ぼすことがないため、結合の美観性を増やすと共に、表面の仕上げ加工を需要性を相対的に減らすことができる。また、異なった重り２を取り換えようとする時、先ず解除部３５を利用して位置決め部材３を回動させることにより、位置決め部材３、重り２と保持部材４による合体を取り外す。それから、反対方向で保持部材４を緩めることにより、重り２を取り換えることができる。上述した組み立て、取り外しの方式を利用することにより、重り２が収容室１４の内部に緊密に係止してしまうという問題はなくなると同時に、第一ねじ部３３と第二ねじ部３４による反対方向のねじの設計により、位置決め部材３を回動させる時、保持部材４が第二ねじ部３４から不意に同期して解除されるのを有効に避けることができるため、位置決め部材３、重り２と保持部材４による合体の関係を確保することができる。これにより、重り２の取り換えの自由度および組み立てと取り外しの利便性を増やすことができる。
【実施例２】
【００１７】
図４、５を参照すると、本発明の実施例２のゴルフクラブヘッドと重りの結合構造が掲示される。実施例１がアイアン型ヘッドに応用されるのと比較すると、実施例２におけるヘッド本体１はウッド型ヘッドからなり、ヘッド本体１にはフェース板１１、ホーゼル１３、少なくとも一個の収容室１４と内部空間１０が設けられる。収容室１４はヘッド本体１の内部空間１０の底部のソール板において凹むように設けられ、収容室１４は円柱形の孔からなる。収容室１４の内部にも同様にねじ孔１４１と肩部１４２が形成されることにより、重り２、位置決め部材３と保持部材４を収容し結合することができる。
【００１８】
再び図４、５を参照すると、本発明の実施例２の重り２にも軸孔２１と収容孔２２が設けられる。位置決め部材３にも蓋体３１、桿体３２、第一ねじ部３３、第二ねじ部３４と少なくとも一個の解除部３５が設けられる。保持部材４にもねじ孔４１が設けられる。これにより、同様に重り２の取り換えの自由度、組み立てと取り外しの利便性、さらに結合の美観性を増やすことができる。さらに、本発明の実施例２においては例えば異なる比重の材質により製成された複数個の重り２’、２”が使用されることにより、取り換えの使用の自由度を増やすことができる。その他に、重り２”は外周面において例えば少なくとも一個の弾性体２０”が突出するように設けられ、弾性体２０”は弾性材質により製成され、弾性体２０”は収容室１４の内周面に弾性的に係止されることにより、打球時の振動を吸収することができると共に、打球時において重り２と収容室１４の内周面との間のぶつかりによって異音が生じるのを避けることができる。弾性体２０”も同様に本発明の実施例１のアイアン型ヘッドの重り２に応用することができる。
【実施例３】
【００１９】
図６、７を参照すると、本発明の実施例３のゴルフクラブヘッドと重りの結合構造が掲示される。実施例２と比較すると、実施例３においては他に弾性パッキング５が含まれ、彈性パッキング５は弾性材質により製成される。組立時において、弾性パッキング５がヘッド本体１の収容室１４の肩部１４２と保持部材４の間に当接されることにより、保持部材４が組立後において打球の振動によって生じた脱落の問題を有効に防止することができるため、重り２、位置決め部材３と保持部材４は収容室１４の内部に確実かつ緊密に結合されることができる。また、弾性パッキング５により打球の振動を吸収することができると共に、打球時に生じた異音を有効に避けることができる。さらに、弾性パッキング５は本発明の実施例のウッド型ヘッドに応用することができるだけではなく、実施例１のアイアン型ヘッドにも応用することができる。
【産業上の利用可能性】
【００２０】
上述の如く、従来のゴルフクラブヘッドと重りの結合構造によれば、重りをヘッド本体の収容室に直接嵌設し結合することにより、外観に美観性を欠いているだけではなく、重りの取り換えが難しくなるという問題点があったが、図１に示す本発明のゴルフクラブヘッドと重りの結合構造によれば、位置決め部材３と保持部材４を利用して初歩的に重り２を結合し、それから上記三つの部材による合体をヘッド本体１の収容室１４の内部に螺設することにより、確実に重り２の取り換えの自由度、組み立ての利便性と結合の美観性を相対的に増やすことができる。
【００２１】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２２】
【図１】本発明の実施例１のゴルフクラブヘッドと重りの結合構造を示す分解斜視図である。
【図２】本発明の実施例１のゴルフクラブヘッドと重りの結合構造を示す分解断面図である。
【図３】本発明の実施例１のゴルフクラブヘッドと重りの結合構造による組み立てられた状態を示す断面図である。
【図４】本発明の実施例２のゴルフクラブヘッドと重りの結合構造を示す分解断面図である。
【図５】本発明の実施例２のゴルフクラブヘッドと重りの結合構造による組み立てられた状態を示す断面図である。
【図６】本発明の実施例３のゴルフクラブヘッドと重りの結合構造を示す分解断面図である。
【図７】本発明の実施例３のゴルフクラブヘッドと重りの結合構造による組み立てられた状態を示す断面図である。
【符号の説明】
【００２３】
１    ヘッド本体                      １０    内部空間
１１    フェース板                      １２    キャビティ
１３    ホーゼル                        １４    収容室
１４１    ねじ孔                        １４２    肩部
２    重り                            ２１    軸孔
２２    収容孔                            ２’    重り
２”    重り                          ２０”    弾性体
３    位置決め部材                    ３１    蓋体
３２    桿体                            ３３    第一ねじ部
３４    第二ねじ部                      ３５    解除部
４    保持部材                        ４１    ねじ孔
５    弾性パッキング
【図１】
2006081862.tif 000003
【図２】
2006081862.tif 000004
【図３】
2006081862.tif 000005
【図４】
2006081862.tif 000006
【図５】
2006081862.tif 000007
【図６】
2006081862.tif 000008
【図７】
2006081862.tif 000009